(57)【要約】【課題】  例えば、小型および高い光学性能の点で有利なズームレンズを提供することを目的とする。【解決手段】  ズームレンズは、物体側より順に、最も物体側に変倍時不動のレンズ群を含み、正の１つまたは２つの第１群と、変倍時移動する負の１つまたは２つの第２群と、最も物体側に負のレンズ群を含み、変倍時移動する１つまたは２つの第３群と、変倍時移動する正の第４群と、変倍時不動の第５群と、を有し、第１ないし第５群のうち隣り合うレンズ群の各組の間隔が変倍時変化し、前記第４群より像側に絞りを有し、第２群は、広角端から望遠端への変倍時像側へ移動し、第３群は、変倍時に物体側に凸の軌跡に沿って移動し、第１群の最も物体側の面から絞りまでの距離と、第１群の光軸方向の長さと、第２群の広角端から望遠端までの移動量と、第２群と第３群とが互いに最も近づく中間ズーム状態への広角端からの第４群の移動量とを適切に設定する。【選択図】  図１
2020134833.tif 000002
【特許請求の範囲】
【請求項１】
物体側より像側へ順に、
最も物体側に配置された変倍のためには移動しないレンズ群を含み、正の屈折力を有する１つまたは２つの第１レンズ群と、
変倍のために移動する負の屈折力を有する１つまたは２つの第２レンズ群と、
最も物体側に負の屈折力を有するレンズ群を含み、変倍のために移動する１つまたは２つの第３レンズ群と、
変倍のために移動する正の屈折力を有する第４レンズ群と、
変倍のためには移動しない第５レンズ群と、
を有し、
前記第１ないし第５レンズ群のうち隣り合うレンズ群の各組の間隔が変倍のために変化し、
前記第４レンズ群より像側に開口絞りを有し、
前記第２レンズ群は、広角端から望遠端への変倍のために像側へ移動し、前記第３レンズ群は、変倍のために物体側に凸の軌跡に沿って移動し、
前記第１レンズ群の最も物体側の面から前記開口絞りまでの距離をＬＳＰとし、前記第１レンズ群の光軸方向の長さをＬ１とし、前記第２レンズ群の広角端から望遠端までの移動量をＭ２とし、前記第２レンズ群と前記第３レンズ群とが互いに最も近づく中間ズーム状態への広角端からの前記第４レンズ群の移動量をＭ４ｍとして、
０．２５＜Ｌ１／ＬＳＰ＜０．７
０．０５＜Ｍ４ｍ／Ｍ２＜０．５
なる条件式を満たすことを特徴とするズームレンズ。
【請求項２】
前記中間ズーム状態から望遠端への前記第４レンズ群の移動量をＭ４ｍｔとして、
−０．３＜Ｍ４ｍｔ／Ｍ２＜０
なる条件式を満たすことを特徴とする請求項１に記載のズームレンズ。
【請求項３】
前記ズームレンズの広角端での焦点距離をｆｗとし、イメージサイズの対角長をＸとして、
ｆｗ／Ｘ＜０．６５
なる条件式を満たすことを特徴とする請求項１または請求項２に記載のズームレンズ。
【請求項４】
前記第１レンズ群は、物体側より像側へ順に、負の屈折力を有する負ユニットと、正の屈折力を有する正ユニットとから構成され、前記負ユニットの焦点距離をｆ１ｎとし、前記第１レンズ群の焦点距離をｆ１として、
−ｆ１ｎ／ｆ１＜０．９
なる条件式を満たすことを特徴とする請求項１ないし３のうちいずれか１項に記載のズームレンズ。
【請求項５】
前記負ユニットは、前記第１レンズ群を構成するレンズの枚数の１／３以下の枚数のレンズで構成されていることを特徴とする請求項４に記載のズームレンズ。
【請求項６】
前記第１レンズ群は、１つのみであり、前記第２レンズ群は、１つのみであり、前記第３レンズ群は、１つのみであることを特徴とする請求項１ないし請求項５のうちいずれか１項に記載のズームレンズ。
【請求項７】
前記第１レンズ群は、２つであり、前記第２レンズ群は、１つのみであり、前記第３レンズ群は、１つのみであり、
２つの前記第１レンズ群の間隔の変倍のための変化量は、光軸方向における前記ズームレンズの長さの０．２倍の長さ以下であることを特徴とする請求項１ないし請求項５のうちいずれか１項に記載のズームレンズ。
【請求項８】
前記第１レンズ群は、正の屈折力の１つのみであり、前記第２レンズ群は、２つであり、前記第３レンズ群は、１つのみであり、
２つの前記第２レンズ群の間隔の変倍のための変化量は、光軸方向における前記ズームレンズの長さの０．２倍の長さ以下であることを特徴とする請求項１ないし請求項５のうちいずれか１項に記載のズームレンズ。
【請求項９】
前記第１レンズ群は、１つのみであり、前記第２レンズ群は、１つのみであり、２つの前記第３レンズ群は、物体側より像側へ順に、負の屈折力を有する前記第３レンズ群と、正の屈折力を有する前記第３レンズ群とから構成されていることを特徴とする請求項１ないし請求項５のうちいずれか１項に記載のズームレンズ。
【請求項１０】
前記第４レンズ群は、非球面を含むことを特徴とする請求項１ないし請求項９のうちいずれか１項に記載のズームレンズ。
【請求項１１】
請求項１ないし請求項１０のうちいずれか１項に記載のズームレンズと、
前記ズームレンズの像面に配された撮像素子と、
を有することを特徴とする撮像装置。
【発明の詳細な説明】
【技術分野】
【０００１】
本発明はズームレンズおよび撮像装置に関する。
【背景技術】
【０００２】
例えば、特許文献１では、物体側から像側へ順にそれぞれ正負負正正の屈折力を有する５つのレンズ群からなり、第１群および第５群がズーミングのためには不動で、第２ないし第４群がズーミングのために移動し、第３群の移動奇跡が像側に凸であるズームレンズが開示されている。特許文献２では、物体側から像側へ順にそれぞれ正負負正正の屈折力を有する５つのレンズ群からなり、第１群および第５群がズーミングのためには不動で、第２ないし第４群がズーミングのために移動するズームレンズが開示されている。
【先行技術文献】
【特許文献】
【０００３】
【特許文献１】特開２０１５−４９１７号公報
【特許文献２】特開２０１６−１７３５２９号公報
【発明の概要】
【発明が解決しようとする課題】
【０００４】
しかしながら、上述の特許文献に開示されたズームレンズは、ズーミングのための移動群の移動軌跡が最適ではないため、ズームレンズが大型化し、特に第１レンズ群が大型化してしまう。また、当該ズームレンズは、ズーミングに伴う収差変動が大きくなってしまう。
【０００５】
本発明は、例えば、小型および高い光学性能の点で有利なズームレンズを提供することを目的とする。
【課題を解決するための手段】
【０００６】
上記目的を達成するために、本発明のズームレンズは、物体側より像側へ順に、最も物体側に配置された変倍のためには移動しないレンズ群を含み、正の屈折力を有する１つまたは２つの第１レンズ群と、変倍のために移動する負の屈折力を有する１つまたは２つの第２レンズ群と、最も物体側に負の屈折力を有するレンズ群を含み、変倍のために移動する１つまたは２つの第３レンズ群と、変倍のために移動する正の屈折力を有する第４レンズ群と、変倍のためには移動しない第５レンズ群と、を有し、前記第１ないし第５レンズ群のうち隣り合うレンズ群の各組の間隔が変倍のために変化し、前記第４レンズ群より像側に開口絞りを有し、前記第２レンズ群は、広角端から望遠端への変倍のために像側へ移動し、前記第３レンズ群は、変倍のために物体側に凸の軌跡に沿って移動し、前記第１レンズ群の最も物体側の面から前記開口絞りまでの距離をＬＳＰとし、前記第１レンズ群の光軸方向の長さをＬ１とし、前記第２レンズ群の広角端から望遠端までの移動量をＭ２とし、前記第２レンズ群と前記第３レンズ群とが互いに最も近づく中間ズーム状態への広角端からの前記第４レンズ群の移動量をＭ４ｍとして、
０．２５＜Ｌ１／ＬＳＰ＜０．７
０．０５＜Ｍ４ｍ／Ｍ２＜０．５
なる条件式を満たすことを特徴とする。
【発明の効果】
【０００７】
本発明によれば、例えば、小型および高い光学性能の点で有利なズームレンズを提供することができる。
【図面の簡単な説明】
【０００８】
【図１】実施例１のズームレンズの広角端、中間ズーム状態、望遠端におけるレンズ断面図
【図２】実施例１のズームレンズの（Ａ）広角端、（Ｂ）望遠端における収差図
【図３】実施例２のズームレンズの広角端、中間ズーム状態、望遠端におけるレンズ断面図
【図４】実施例２のズームレンズの（Ａ）広角端、（Ｂ）望遠端における収差図
【図５】実施例３のズームレンズの広角端、中間ズーム状態、望遠端におけるレンズ断面図
【図６】実施例３のズームレンズの（Ａ）広角端、（Ｂ）望遠端における収差図
【図７】実施例４のズームレンズの広角端、中間ズーム状態、望遠端におけるレンズ断面図
【図８】実施例４のズームレンズの（Ａ）広角端、（Ｂ）望遠端における収差図
【図９】実施例５のズームレンズの広角端、中間ズーム状態、望遠端におけるレンズ断面図
【図１０】実施例５のズームレンズの（Ａ）広角端、（Ｂ）望遠端における収差図
【図１１】本発明の撮像装置の要部概略図
【発明を実施するための形態】
【０００９】
以下に、本発明の好ましい実施の形態を、添付の図面に基づいて詳細に説明する。
各実施例のズームレンズは、物体側より像側へ順に、正の屈折力の第１レンズ群と、負の屈折力の第２レンズ群と、第３レンズ群と、正の屈折力の第４レンズ群と、第５レンズ群とを有し、第４レンズ群よりも像側に開口絞りを有する。第１ないし第５レンズ群のうち隣り合うレンズ群の各組の間隔は変倍のために変化する。第１レンズ群は最も物体側に配置された変倍のためには移動しないレンズ群を含み、正の屈折力の１つまたは２つのレンズ群を有する。第２レンズ群は、広角端かは望遠端への変倍のために像側に移動する負の屈折力を有する１つまたは２つのレンズ群を有する。第３レンズ群は、最も物体側に負の屈折力のレンズ群を含み、第３レンズ群は変倍のために物体側に凸の軌跡に沿って移動するレンズ群を含む、変倍のために移動する１つまたは２つのレンズ群を有する。第４レンズ群は変倍のために移動する。第５レンズ群は変倍のためには移動しない。この構成により、ズーム比の大きいズームレンズを構成することができる。
【００１０】
第４レンズ群は、広角端から、第２レンズ群と第３レンズ群が最も近接するズーム位置（このズーム位置を本明細書において「中間ズーム状態」と記載する）への変倍において、像側へ移動する。これにより第１レンズ群のレンズ径を小さくする。また、中間ズーム状態における、前記二つの負レンズ群の干渉を避けることで、ズームレンズの全長を短縮する。
【００１１】
第１レンズ群の最も物体側の面から絞り面までの距離をＬＳＰとし、第１レンズ群の光軸方向の長さをＬ１とし、第２レンズ群の広角端から望遠端までの移動量をＭ２とし、広角端から第２レンズ群と第３レンズ群が最も近接する中間ズーム状態への変倍時における第４レンズ群の移動量をＭ４ｍとして、本発明のズームレンズは
０．２５＜Ｌ１／ＬＳＰ＜０．７      （１）
０．０５＜Ｍ４ｍ／Ｍ２＜０．５      （２）
なる条件式を満足する。
【００１２】
条件式（１）は第１レンズ群の長さを規定している。Ｌ１／ＬＳＰの値が下限値より大きくなる程度に第１レンズ群の全長が長くなると、第１レンズ群のレンズ径が広角端の軸外光線によって決められる。そこで、広角端における絞り前に配置された正の第４レンズ群を適切に配置することで、その軸外光線を下げ、第１レンズ群のレンズ径を小さくすることが可能となる。また上限を超えるとレンズ全長が長くなってしまう。
【００１３】
条件式（２）は第４レンズ群の移動量を規定している。Ｍ４ｍ／Ｍ２の値が下限値より大きくなる程度に広角端における第４レンズ群の位置が絞りから離れると、第１レンズ群のレンズ径を小さくすることができる。また上限を超えると収差のズーム変動が大きくなり、光学性能が悪化してしまう。
【００１４】
更に好ましくは、条件式（１）、（２）の数値範囲を次の如く設定するのが良い。
０．３＜Ｌ１  ／ＬＳＰ＜０．６      （１ａ）
０．１＜Ｍ４ｍ／Ｍ２＜０．３      （２ａ）
【００１５】
また、前記中間ズーム状態から望遠端における第４レンズ群の移動量をＭ４ｍｔとして、
−０．３＜Ｍ４ｍｔ／Ｍ２＜０      （３）
なる条件式を満たすことが望ましい。
【００１６】
条件式（３）は第２レンズ群と第３レンズ群が最も近接するズーム位置から望遠端における前記正レンズ群の移動量を規定している。中間ズーム状態から望遠端において、正レンズ群が物体側に移動することで、像面湾曲の変動を補正している。Ｍ４ｍｔ／Ｍ２の値が上限値を超えると、中間ズーム状態から望遠端における像面湾曲の変動が大きくなり、光学性能が悪化する。また下限値より小さくなると像面湾曲の変動が過剰補正となり、光学性能が悪化する。
【００１７】
更に好ましくは、条件式（３）の数値範囲を次の如く設定するのが良い。
−０．２＜Ｍ４ｍｔ／Ｍ２＜０      （３ａ）
【００１８】
また、ズームレンズ広角端の焦点距離をｆｗとし、イメージサイズの対角長をＸとして、
ｆｗ／Ｘ＜０．６５      （４）
なる条件式を満たすことが望ましい。この上限を超えると、広角端における焦点距離が大きくなり、第１レンズ群のレンズ径が広角端以外の光線で決まるため、第１レンズ群のレンズ径を小径化する効果が減少する。
【００１９】
更に好ましくは、条件式（４）の数値範囲を次の如く設定するのが良い。
ｆｗ／Ｘ＜０．５      （４ａ）
【００２０】
また、第１レンズ群は物体側から像側へ順に、負の屈折力を有する負ユニットと、正の屈折力を有する正ユニットとからなる。負ユニットの焦点距離をｆ１ｎとし、第１レンズ群の焦点距離をｆ１として、
−ｆ１ｎ／ｆ１＜０．９      （５）
なる条件式を満たすことが望ましい。この時、負ユニットは第１レンズ群を構成するレンズの枚数のうち１／３以下の枚数のレンズで構成されるものとする。この上限を超えると、広角端における焦点距離が大きくなり、第１レンズ群のレンズ径が広角端以外の光線で決まるため、第１レンズ群のレンズ径を小径化する効果が減少する。
【００２１】
尚、式（５）の記載に関して、負ユニット及び正ユニットは変倍や焦点調整のための移動により変化するレンズ面の間隔により規定されるものではなく、単に光軸方向に連続して配置された１枚以上のレンズを指すものとする。また、負ユニットは、第１レンズ群を構成するレンズの枚数の１／３以下の枚数のレンズで構成される。
【００２２】
更に好ましくは、条件式（５）の数値範囲を次の如く設定するのが良い。
−ｆ１ｎ／ｆ１＜０．８      （５ａ）
【００２３】
また、第４レンズ群は非球面を有することが好ましい。非球面を有することで、光学性能のズーム変動を抑制することが可能となる。
【００２４】
図１１は実施例１〜５のズームレンズを撮影光学系として用いた撮像装置（テレビカメラシステム）の要部概略図である。図１１において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、中間レンズ群ＬＺ、結像用の最終レンズ群Ｒを有している。第１レンズ群Ｆはフォーカシングのために光軸上を移動するフォーカス用レンズ群が含まれている。
【００２５】
中間レンズ群ＬＺは実施例１〜５のズーミングのために光軸上を移動する移動群が含まれている。ＳＰは開口絞りである。１１４、１１５は各々フォーカスレンズ群、中間レンズ群ＬＺを光軸方向に駆動するヘリコイドやカム等の駆動機構である。
【００２６】
１１６〜１１８は駆動機構１１４、１１５および開口絞りＳＰを電動駆動するモータ（駆動手段）である。１１９〜１２１は、フォーカスレンズ群や中間レンズ群ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００２７】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００２８】
以上、本発明の好ましい実施例について説明したが、本発明はこれらの実施例に限定されないことはいうまでもなく、その要旨の範囲内で種々の変形及び変更が可能である。
【００２９】
以下に本発明のズームレンズの数値実施例１〜５のレンズ構成の特徴を説明する。各実施例のレンズ断面図において、Ｉは像面であり、固体撮像素子の撮像面に相当している。以下、レンズ構成は特に断りがない限り、物体側から像側へ順に配置されているとして説明する。
【実施例１】
【００３０】
以下、図１および図２を参照して、本発明の第１の実施例による、ズームレンズについて説明する。
図１は実施例１の広角端、中間ズーム状態、望遠端におけるレンズ断面図である。図２は実施例１のズームレンズの（Ａ）広角端、（Ｂ）望遠端における収差図である。
【００３１】
ズーミングに際して第１レンズ群Ｌ１と第５レンズ群Ｌ５と開口絞りＳＰは不動である。広角端から望遠端へのズーミングに際して、負の屈折力を持つ主変倍群である第２レンズ群Ｌ２が像側に移動し、負の屈折力を持つ第３レンズ群Ｌ３は物体側に凸の軌跡を描くように移動する。
【００３２】
第４レンズ群Ｌ４は正の屈折力を有し、第２レンズ群と第３レンズ群がもっとも近接する中間ズーム状態において、広角端における位置より像側へ移動し、そこから望遠端に向けて物体側に移動する。
【００３３】
尚、式（５）の記載に関して、実施例１においては、第１レンズ群Ｌ１は、物体側から像側へ順に、３枚の負レンズ（第１面〜第６面）で構成された負の屈折力を有する負ユニットＬ１ｎと、８枚のレンズ（第７面〜第２１面）で構成された正の屈折力を有する正ユニットＬ１ｐとから構成される。
【００３４】
実施例１の各条件式対応値を表１に示す。数値実施例１はいずれの条件式も満足しており、レンズの小型化と変倍時の収差変動が抑制された良好な光学性能を両立することを可能にしたズームレンズを実現している
【実施例２】
【００３５】
以下、図３および図４を参照して、本発明の第２の実施例による、ズームレンズについて説明する。
図３は実施例２の広角端、中間ズーム状態、望遠端におけるレンズ断面図である。図４は実施例２の（Ａ）広角端、（Ｂ）望遠端における収差図である。
【００３６】
ズーミングに際して第１レンズ群Ｌ１と第５レンズ群Ｌ５と開口絞りＳＰは不動である。広角端から望遠端へのズーミングに際して、負の屈折力を持つ主変倍群である第２レンズ群Ｌ２が像側に移動する。第２レンズ群は物体側から像側へ順に、サブレンズ群Ｌ２Ａとサブレンズ群Ｌ２Ｂから構成され、変倍中にサブレンズ群Ｌ２Ａとサブレンズ群Ｌ２Ｂとのレンズ間隔を微小に変化させている。サブレンズ群の間隔の変化量は３．２４ｍｍであり、レンズ全長３１４．６０ｍｍの０．２倍以下の変化量となっている。負の屈折力を持つ第３レンズ群Ｌ３は変倍のために物体側に凸の軌跡を描くように移動する。
【００３７】
第４レンズ群Ｌ４は正の屈折力を有し、第２レンズ群と第３レンズ群がもっとも近接する中間ズーム状態において、広角端における位置より像側へ移動し、そこから望遠端に向けて物体側に移動する。
【００３８】
尚、式（５）の記載に関して、実施例２においては、第１レンズ群Ｌ１は、物体側から像側へ順に、３枚の負レンズ（第１面〜第６面）で構成された負の屈折力を有する負ユニットＬ１ｎと、８枚のレンズ（第７面〜第２１面）で構成された正の屈折力を有する正ユニットＬ１ｐとから構成される。
【００３９】
実施例２の各条件式対応値を表１に示す。数値実施例２はいずれの条件式も満足しており、レンズの小型化と変倍時の収差変動が抑制された良好な光学性能を両立することを可能にしたズームレンズを実現している
【実施例３】
【００４０】
以下、図５および図６を参照して、本発明の第３の実施例による、ズームレンズについて説明する。
図５は実施例３の広角端、中間ズーム状態、望遠端におけるレンズ断面図である。図６は実施例３の（Ａ）広角端、（Ｂ）望遠端における収差図である。
【００４１】
ズーミングに際して第１レンズ群Ｌ１と第５レンズ群Ｌ５と開口絞りＳＰは不動である。広角端から望遠端へのズーミングに際して、負の屈折力を持つ主変倍群である第２レンズ群Ｌ２が像側に移動し、負の屈折力を持つ第３レンズ群Ｌ３は物体側に凸の軌跡を描くように移動する。
【００４２】
第４レンズ群Ｌ４は正の屈折力を有し、第２レンズ群と第３レンズ群がもっとも近接する中間ズーム状態において、広角端における位置より像側へ移動し、そこから望遠端に向けて物体側に移動する。
【００４３】
尚、式（５）の記載に関して、実施例３においては、第１レンズ群Ｌ１は、物体側から像側へ順に、３枚の負レンズ（第１面〜第６面）で構成された負の屈折力を有する負ユニットＬ１ｎと、８枚のレンズ（第７面〜第２１面）で構成された正の屈折力を有する正ユニットＬ１ｐとから構成される。
【００４４】
実施例３の各条件式対応値を表１に示す。数値実施例３はいずれの条件式も満足しており、レンズの小型化と変倍時の収差変動が抑制された良好な光学性能を両立することを可能にしたズームレンズを実現している
【実施例４】
【００４５】
以下、図７および図８を参照して、本発明の第４の実施例による、ズームレンズについて説明する。
図７は実施例４の広角端、中間ズーム状態、望遠端におけるレンズ断面図である。図８は実施例４の（Ａ）広角端、（Ｂ）望遠端における収差図である。
【００４６】
ズーミングに際して第１レンズ群Ｌ１と第５レンズ群Ｌ５と開口絞りＳＰは不動である。第１レンズ群は物体側から像側へ順に、サブレンズ群Ｌ１Ａとサブレンズ群Ｌ１Ｂとから構成され、変倍中にサブレンズ群Ｌ１Ａとサブレンズ群Ｌ１Ｂとの間隔を微小に変化させている。サブレンズ群の間隔の変化量は６．４４ｍｍであり、レンズ全長３２８．６５ｍｍの０．２倍以下の変化量となっている。広角端から望遠端へのズーミングに際して、負の屈折力を持つ主変倍群である第２レンズ群Ｌ２が像側に移動する。負の屈折力を持つ第３レンズ群Ｌ３は変倍のために物体側に凸の軌跡を描くように移動する。
【００４７】
第４レンズ群Ｌ４は正の屈折力を有し、第２レンズ群と第３レンズ群がもっとも近接する中間ズーム状態において、広角端における位置より像側へ移動し、そこから望遠端に向けて物体側に移動する。
【００４８】
尚、式（５）の記載に関して、実施例４においては、第１レンズ群Ｌ１は、物体側から像側へ順に、３枚の負レンズ（第１面〜第６面）で構成された負の屈折力を有する負ユニットＬ１ｎと、９枚のレンズ（第７面〜第２３面）で構成された正の屈折力を有する正ユニットＬ１ｐとから構成される。
【００４９】
実施例４の各条件式対応値を表１に示す。数値実施例４はいずれの条件式も満足しており、レンズの小型化と変倍時の収差変動が抑制された良好な光学性能を両立することを可能にしたズームレンズを実現している
【実施例５】
【００５０】
以下、図９および図１０を参照して、本発明の第１の実施例による、ズームレンズについて説明する。
図９は実施例５の広角端、中間ズーム状態、望遠端におけるレンズ断面図である。図１０は実施例５の（Ａ）広角端、（Ｂ）望遠端における収差図である。
【００５１】
ズーミングに際して第１レンズ群Ｌ１と第５レンズ群Ｌ５と開口絞りＳＰは不動である。広角端から望遠端へのズーミングに際して、負の屈折力を持つ主変倍群である第２レンズ群Ｌ２が像側に移動する。第３レンズ群Ｌ３は物体側から像側へ順に、負の屈折力を持つサブレンズ群Ｌ３Ａと正の屈折力を持つサブレンズ群Ｌ３Ｂとから構成され、第３レンズ群Ｌ３は変倍のために物体側に凸の軌跡を描くように移動する。
【００５２】
第４レンズ群Ｌ４は正の屈折力を有し、第２レンズ群と第３レンズ群がもっとも近接する中間ズーム状態において、広角端における位置より像側へ移動し、そこから望遠端に向けて物体側に移動する。
【００５３】
尚、式（５）の記載に関して、実施例５においては、第１レンズ群Ｌ１は、物体側から像側へ順に、３枚の負レンズ（第１面〜第６面）で構成された負の屈折力を有する負ユニットＬ１ｎと、８枚のレンズ（第７面〜第２１面）で構成された正の屈折力を有する正ユニットＬ１ｐとから構成される。
【００５４】
実施例５の各条件式対応値を表１に示す。数値実施例５はいずれの条件式も満足しており、レンズの小型化と変倍時の収差変動が抑制された良好な光学性能を両立することを可能にしたズームレンズを実現している。
【００５５】
尚、第１レンズ群ないし第３レンズのうちのそれぞれのレンズ群が１つである数値実施例と、第１レンズ群ないし第３レンズのうちのいずれか１つのレンズ群が２つであって他の２つのレンズ群がそれぞれ１つである数値実施例を、実施例として例示したが、本発明はこれに限定されることはない。第１レンズ群ないし第３レンズのうちの２つ以上のレンズ群がそれぞれ２つでされていてもよい。
【００５６】
以上、本発明の好ましい実施形態について説明したが、本発明はこれらの実施形態に限定されず、その要旨の範囲内で種々の変形及び変更が可能である。
【００５７】
次に本発明の実施例１から５に対応する数値実施例１から５を示す。各数値実施例においてｉは物体側からの面の順序を示す。ｒｉは物体側より順に第ｉ番目のレンズ面の曲率半径、ｄｉは物体側より順に第ｉ番目の面と第ｉ＋１番目の面の間のレンズ厚および空気間隔、ｎｄｉとνｄｉは各々物体側より順に第ｉ番目の面と第ｉ＋１番目の面の間のレンズの材料の屈折率とアッベ数である。ＢＦはバックフォーカスであり、最終面から像面までの空気換算での距離で示している。レンズ全長は第１レンズ面から撮像面までの距離である。
【００５８】
非球面形状は光軸方向にＸ軸、光軸と垂直方向にＨ軸、光の進行方向を正とし、Ｒを近軸曲率半径、Ｋ、Ａ２、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６を各々非球面係数としたとき、
【数１】
2020134833.tif 000003
で与えるものとする。各非球面形状において［ｅ−Ｘ］は［×１０−Ｘ］を意味している。焦点距離、Ｆナンバー等のスペックに加え、全系の半画角、像高は半画角を決定する最大像高である。また各レンズ群データは、各レンズ群の焦点距離を示している。また各光学面の間隔ｄが（可変）となっている部分は、ズーミングに際して変化するものであり、別表に焦点距離に応じた面間隔を示している。
【００５９】
アッベ数νｄはそれぞれ、Ｆ線における屈折率をｎＦとし、ｄ線における屈折率をｎｄとし、Ｃ線における屈折率をｎＣとして、
νｄ＝（ｎｄ−１）／（ｎＦ−ｎＣ）
なる式でと定義されるものとする。
【００６０】
（数値実施例１）
単位 mm
面データ
面番号       r        d      nd         vd
1*      1918.222    2.50   1.83481    42.7           
2         30.936   17.09                             
3*       159.855    2.00   1.83481    42.7           
4         86.331   10.04                             
5        -94.827    1.80   1.83481    42.7           
6       -527.011    0.15                             
7         94.270    4.26   1.92286    18.9           
8        347.768    1.67                             
9        164.790    8.26   1.60300    65.4           
10*       -99.054    4.41                             
11       -604.301    8.00   1.43387    95.1           
12        -55.085    0.30                             
13        -53.196    1.70   1.80000    29.8           
14       -110.385    0.18                             
15        169.977    1.70   1.91650    31.6           
16         53.615   13.56   1.43875    94.7           
17       -122.220    0.40                             
18        861.296    9.06   1.43387    95.1           
19        -67.470    0.40                             
20        111.203    8.23   1.76385    48.5           
21       -166.639  (可変)                             
22         96.566    0.70   2.00100    29.1           
23         17.507    4.07                             
24        -61.457    0.70   1.43875    94.7           
25         70.548    2.33                             
26       -109.228    5.39   1.85478    24.8           
27        -14.852    0.70   1.88300    40.8           
28        171.286    0.21                             
29         40.389    3.04   1.64769    33.8           
30       -122.593  (可変)                             
31        -32.417    0.80   1.72916    54.7           
32         45.308    2.57   1.84666    23.8           
33       1466.077  (可変)                             
34*        66.039    6.29   1.58913    61.1           
35        -54.493  (可変)                             
36(絞り)    ∞       1.84                             
37        122.970    5.35   1.51742    52.4           
38        -46.108    1.00   1.83481    42.7           
39       -164.538   35.50                             
40         61.903    5.47   1.63980    34.5           
41        -51.062    1.55                             
42        -91.972    0.90   1.88300    40.8           
43         27.882    5.27   1.48749    70.2           
44       -141.929    0.20                             
45         61.770    7.82   1.43875    94.7           
46        -21.051    0.90   2.00100    29.1           
47        -54.423    0.13                             
48        141.825    5.35   1.48749    70.2           
49        -31.912    4.00                             
50          ∞      33.00   1.60859    46.4           
51          ∞      13.20   1.51680    64.2           
52          ∞     (可変)                             
像面        ∞   
非球面データ
第1面
K = 0.00000e+000  A 4= 3.89922e-006  A 6= 1.07694e-008  A 8= 7.79026e-012  A10= 9.49367e-014  A12= 1.11174e-016  A14= 1.85192e-020  A16=-6.14971e-026  
A 3= 1.60188e-005  A 5=-1.68458e-007  A 7=-3.06230e-010  A 9=-1.17457e-012  A11=-4.11466e-015  A13=-1.90016e-018  A15=-7.32479e-023  
第3面
K = 0.00000e+000  A 4=-2.18327e-006  A 6=-7.46601e-008  A 8=-7.11385e-010  A10=-3.23420e-013  A12= 1.59786e-015  A14=-6.51605e-019  A16=-2.04040e-022  
A 3=-1.28010e-005  A 5= 4.37046e-007  A 7= 9.13598e-009  A 9= 3.03267e-011  A11=-3.27268e-014  A13=-1.78219e-017  A15= 2.23023e-020  
第10面
K = 0.00000e+000  A 4= 1.08070e-006  A 6= 1.37549e-008  A 8= 2.71473e-010  A10= 2.08368e-013  A12=-7.68841e-016  A14= 1.05285e-018  A16= 2.18705e-022  
A 3=-3.60136e-006  A 5=-1.77292e-008  A 7=-2.66936e-009  A 9=-1.44188e-011  A11= 1.68104e-014  A13=-4.82004e-018  A15=-2.64010e-020  
第34面
K =-1.32879e+001  A 4= 1.73777e-006  A 6=-4.65336e-009  A 8= 2.82343e-012  
【００６１】
各種データ
ズーム比     13.60 
広角     中間     望遠
焦点距離       4.43    28.02    60.25  
Fナンバー      1.86     1.86     2.78  
画角          51.15    11.11     5.22  
像高           5.50     5.50     5.50  
レンズ全長   315.65   315.65   315.65  
BF             7.45     7.45     7.45  
d21            0.65    45.75    52.71  
d30           40.88     2.90     4.40  
d33           14.36    13.83     2.11  
d35            8.35     1.76     5.02  
d52            7.45     7.45     7.45  
ズームレンズ群データ
群  始面    焦点距離  
1    1      29.69  
2   22     -20.23  
3   31     -48.88  
4   34      51.48  
5   36      53.03  
【００６２】
（数値実施例２）
単位 mm
面データ
面番号       r        d      nd         vd
1*      1624.476    2.50   1.83481    42.7           
2         30.683   17.72                             
3*       209.362    2.00   1.83481    42.7           
4        101.378    9.95                             
5        -82.998    1.80   1.83481    42.7           
6       -268.382    0.15                             
7         96.811    4.08   1.92286    18.9           
8        323.506    1.59                             
9        154.148    8.11   1.60300    65.4           
10*      -109.799    4.44                             
11       -446.979    8.23   1.43387    95.1           
12        -52.841    0.13                             
13        -52.249    1.70   1.80000    29.8           
14        -99.753    0.18                             
15        136.809    1.70   1.91650    31.6           
16         51.311   13.70   1.43875    94.7           
17       -134.517    0.40                             
18       9191.253    8.20   1.43387    95.1           
19        -70.101    0.40                             
20        101.328    7.96   1.76385    48.5           
21       -205.670  (可変)                             
22         99.719    0.70   2.00100    29.1           
23         17.675  (可変)                             
24        -50.857    0.70   1.43875    94.7           
25         72.793    2.07                             
26       -173.604    5.44   1.85478    24.8           
27        -14.028    0.70   1.88300    40.8           
28        138.641    0.21                             
29         38.506    3.34   1.64769    33.8           
30       -217.686  (可変)                             
31        -33.587    0.80   1.72916    54.7           
32         59.573    2.29   1.84666    23.8           
33      -23892.610  (可変)                             
34*        67.598    6.49   1.58913    61.1           
35        -48.450  (可変)                             
36(絞り)    ∞       1.24                             
37        140.001    5.63   1.51742    52.4           
38        -41.749    1.00   1.83481    42.7           
39       -148.201   35.50                             
40         64.636    5.42   1.63980    34.5           
41        -50.346    1.66                             
42        -97.093    0.90   1.88300    40.8           
43         28.411    5.23   1.48749    70.2           
44       -134.553    0.20                             
45         64.009    7.67   1.43875    94.7           
46        -21.313    0.90   2.00100    29.1           
47        -55.457    0.13                             
48        145.976    5.25   1.48749    70.2           
49        -32.459    4.00                             
50          ∞      33.00   1.60859    46.4           
51          ∞      13.20   1.51680    64.2           
52          ∞     (可変)                             
像面        ∞   
非球面データ
第1面
K = 0.00000e+000  A 4= 4.46936e-006  A 6= 1.10306e-008  A 8= 7.77566e-012  A10= 9.49062e-014  A12= 1.11184e-016  A14= 1.85247e-020  A16=-6.48312e-026  
A 3= 1.03502e-005  A 5=-1.89830e-007  A 7=-3.02435e-010  A 9=-1.17670e-012  A11=-4.11432e-015  A13=-1.90014e-018  A15=-7.32030e-023  
第3面
K = 0.00000e+000  A 4=-2.17856e-006  A 6=-7.40025e-008  A 8=-7.11833e-010  A10=-3.23357e-013  A12= 1.59755e-015  A14=-6.49135e-019  A16=-2.05926e-022  
A 3=-8.98227e-006  A 5= 4.24261e-007  A 7= 9.13249e-009  A 9= 3.03419e-011  A11=-3.27278e-014  A13=-1.78779e-017  A15= 2.23441e-020  
第10面
K = 0.00000e+000  A 4= 9.95672e-007  A 6= 1.32461e-008  A 8= 2.69099e-010  A10= 2.06572e-013  A12=-7.70103e-016  A14= 1.06094e-018  A16= 2.20738e-022  
A 3=-2.93337e-006  A 5=-1.75957e-008  A 7=-2.62528e-009  A 9=-1.43267e-011  A11= 1.68324e-014  A13=-4.87745e-018  A15=-2.66360e-020  
第34面
K =-1.40561e+001  A 4= 1.35169e-006  A 6=-4.55878e-009  A 8= 2.86122e-012  
【００６３】
各種データ
ズーム比     13.60 
広角     中間     望遠
焦点距離       4.43    31.29    60.25  
Fナンバー      1.86     1.86     2.78  
画角          51.15     9.97     5.22  
像高           5.50     5.50     5.50  
レンズ全長   314.60   314.60   314.60  
BF             7.45     7.45     7.45  
d21            0.65    47.69    53.48  
d23            7.72     4.19     4.48  
d30           38.43     3.04     3.77  
d33           12.64    12.13     2.26  
d35            9.11     1.50     4.56  
d52            7.45     7.45     7.45  
ズームレンズ群データ
群  始面    焦点距離  
1    1      30.26  
2   22     -21.38  
3   24    -148.06  
4   31     -50.80  
5   34      48.73  
6   36      52.97  
【００６４】
（数値実施例３）
単位 mm
面データ
面番号       r        d      nd         vd
1*     -2440.056    2.50   1.83481    42.7           
2         31.805   17.32                             
3*       149.046    2.00   1.83481    42.7           
4         76.892   10.51                             
5       -106.503    1.75   1.89190    37.1           
6       -701.504    0.15                             
7         96.907    4.26   1.95906    17.5           
8        354.199    2.00                             
9        200.819    7.84   1.59522    67.7           
10*      -102.442    4.41                             
11       -441.091    8.07   1.43387    95.1           
12        -54.784    0.34                             
13        -52.604    1.70   1.75520    27.5           
14       -112.274    0.18                             
15        172.755    1.70   1.91650    31.6           
16         56.670   14.35   1.43875    94.7           
17       -108.571    0.40                             
18       1049.793    9.46   1.43387    95.1           
19        -68.289    0.40                             
20        113.998    8.57   1.76385    48.5           
21       -173.194  (可変)                             
22         86.514    0.70   2.00100    29.1           
23         17.319    4.15                             
24        -67.204    0.70   1.43875    94.7           
25         58.617    2.31                             
26       -183.166    5.73   1.85478    24.8           
27        -14.517    0.65   1.88300    40.8           
28        122.213    0.21                             
29         37.048    2.97   1.64769    33.8           
30       -233.512  (可変)                             
31        -33.485    0.75   1.72916    54.7           
32         52.080    2.45   1.84666    23.8           
33      -2211.841  (可変)                             
34*        64.235    6.57   1.58913    61.1           
35        -54.423  (可変)                             
36(絞り)    ∞       2.07                             
37        146.474    5.48   1.51742    52.4           
38        -45.128    1.00   1.83481    42.7           
39       -186.320   35.49                             
40         54.214    5.80   1.63980    34.5           
41        -55.141    1.50                             
42       -110.898    0.85   1.88300    40.8           
43         26.795    5.81   1.48749    70.2           
44       -120.522    0.20                             
45         77.533    7.56   1.43875    94.7           
46        -20.849    0.85   2.00100    29.1           
47        -56.507    0.13                             
48        181.513    5.35   1.48749    70.2           
49        -30.620    4.00                             
50          ∞      33.00   1.60859    46.4           
51          ∞      13.20   1.51680    64.2           
52          ∞     (可変)                             
像面        ∞   
非球面データ
第1面
K = 0.00000e+000  A 4= 4.76599e-006  A 6= 2.34876e-008  A 8= 3.32114e-011  A10= 1.08361e-013  A12= 1.45131e-016  A14= 5.37314e-022  A16=-1.88075e-024  
A 3= 8.53759e-006  A 5=-2.91957e-007  A 7=-1.09456e-009  A 9=-1.52308e-012  A11=-5.29333e-015  A13=-1.88364e-018  A15= 2.49247e-022  
第3面
K = 0.00000e+000  A 4=-2.13576e-006  A 6=-5.67472e-008  A 8=-5.37801e-010  A10=-1.96389e-013  A12= 1.85283e-015  A14=-3.01329e-019  A16=-2.20403e-022  
A 3=-3.60251e-006  A 5= 3.56225e-007  A 7= 6.89385e-009  A 9= 2.29023e-011  A11=-3.37819e-014  A13=-3.37814e-017  A15= 2.03629e-020  
第10面
K = 0.00000e+000  A 4= 7.74130e-007  A 6= 3.72970e-009  A 8= 2.38598e-010  A10= 4.29430e-013  A12=-7.21051e-016  A14= 8.28730e-019  A16= 2.10538e-022  
A 3= 4.29253e-009  A 5= 4.39822e-008  A 7=-1.74984e-009  A 9=-1.60309e-011  A11= 8.20870e-015  A13= 1.99888e-018  A15=-2.37790e-020  
第34面
K =-1.02237e+001  A 4= 8.99481e-007  A 6=-2.52712e-009  A 8= 6.95575e-013  
【００６５】
各種データ
ズーム比     15.40 
広角     中間     望遠
焦点距離       4.15    30.13    63.92  
Fナンバー      1.86     1.86     2.97  
画角          52.96    10.35     4.92  
像高           5.50     5.50     5.50  
レンズ全長   323.65   323.65   323.65  
BF             7.45     7.45     7.45  
d21            0.64    49.23    55.37  
d30           42.49     3.06     3.28  
d33           15.87    14.92     2.10  
d35            9.80     1.60     8.05  
d52            7.45     7.45     7.45  
ズームレンズ群データ
群  始面    焦点距離  
1    1      29.21  
2   22     -19.70  
3   31     -52.38  
4   34      50.86  
5   36      54.08  
【００６６】
（数値実施例４）
単位 mm
面データ
面番号       r        d      nd         vd
1*       475.907    2.50   1.83481    42.7           
2         33.006   17.18                             
3*       130.411    2.00   1.83481    42.7           
4         73.689   11.20                             
5       -113.700    1.75   1.89190    37.1           
6      -1198.361    0.15                             
7         90.419    4.74   1.95906    17.5           
8        305.511    5.08                             
9        205.636    8.23   1.59522    67.7           
10*      -105.286    5.14                             
11       -319.741    6.35   1.43387    95.1           
12        -67.140    1.42                             
13        -53.955    1.70   1.75520    27.5           
14       -100.394    0.18                             
15        184.133    1.70   1.91650    31.6           
16         58.915   14.13   1.43875    94.7           
17        -87.470    0.40                             
18       -238.998    6.38   1.43387    95.1           
19        -70.373    0.40                             
20        123.551    5.61   1.76385    48.5           
21      -1248.700  (可変)                             
22        588.638    5.04   1.59522    67.7           
23       -126.876  (可変)                             
24         78.715    0.70   2.00100    29.1           
25         16.851    5.14                             
26        -36.557    0.70   1.43875    94.7           
27        155.542    1.60                             
28       3827.478    5.53   1.85478    24.8           
29        -17.600    0.65   1.88300    40.8           
30        132.977    0.21                             
31         37.312    2.95   1.64769    33.8           
32       -303.836  (可変)                             
33        -31.012    0.75   1.72916    54.7           
34         54.664    2.43   1.84666    23.8           
35       -548.605  (可変)                             
36*        93.074    6.66   1.58913    61.1           
37        -45.565  (可変)                             
38(絞り)    ∞       1.00                             
39         84.893    5.58   1.51742    52.4           
40        -52.761    1.00   1.83481    42.7           
41       2129.278   35.50                             
42         51.860    5.59   1.63980    34.5           
43        -57.848    1.22                             
44       -185.920    0.85   1.88300    40.8           
45         25.593    5.12   1.48749    70.2           
46       -690.372    0.20                             
47         76.520    7.38   1.43875    94.7           
48        -21.384    0.85   2.00100    29.1           
49        -54.724    0.13                             
50        154.436    5.15   1.48749    70.2           
51        -32.883    4.00                             
52          ∞      33.00   1.60859    46.4           
53          ∞      13.20   1.51680    64.2           
54          ∞     (可変)                             
像面        ∞   
非球面データ
第1面
K = 0.00000e+000  A 4= 1.66699e-006  A 6= 3.97834e-008  A 8= 6.33138e-011  A10= 6.47897e-014  A12= 1.06423e-016  A14= 2.14372e-021  A16=-1.48668e-024  
A 3= 1.89824e-005  A 5=-3.19812e-007  A 7=-2.13277e-009  A 9=-1.45990e-012  A11=-3.44034e-015  A13=-1.53431e-018  A15= 1.86785e-022  
第3面
K = 0.00000e+000  A 4=-3.58730e-007  A 6=-3.95559e-008  A 8=-5.25902e-010  A10=-1.98706e-012  A12=-7.36620e-016  A14= 1.36899e-018  A16= 1.28157e-022  
A 3=-1.81162e-005  A 5= 2.24449e-007  A 7= 5.18668e-009  A 9= 3.85000e-011  A11= 6.40546e-014  A13=-2.92776e-017  A15=-2.20320e-020  
第10面
K = 0.00000e+000  A 4= 1.28011e-006  A 6= 1.58176e-008  A 8= 2.03861e-010  A10= 1.60646e-013  A12= 7.94518e-018  A14= 1.18241e-018  A16= 1.74175e-022  
A 3=-4.66744e-006  A 5=-6.75467e-008  A 7=-2.31123e-009  A 9=-9.89999e-012  A11= 4.98860e-015  A13=-2.46231e-017  A15=-2.32811e-020  
第36面
K =-2.89398e+000  A 4=-2.66160e-006  A 6= 6.70520e-010  A 8=-1.02571e-012  
【００６７】
各種データ
ズーム比     15.05 
広角     中間     望遠
焦点距離       4.65    41.11    70.00  
Fナンバー      1.86     1.91     3.25  
画角          49.79     7.62     4.49  
像高           5.50     5.50     5.50  
レンズ全長   328.65   328.65   328.65  
BF             7.45     7.45     7.45  
d21            1.00     6.99     7.44  
d23            1.64    46.01    49.32  
d32           40.15     3.05     3.18  
d35           21.23    13.79     2.11  
d37            8.82     2.99    10.78  
d54            7.45     7.45     7.45  
ズームレンズ群データ
群  始面    焦点距離  
1    1      50.81  
2   22     175.21  
3   24     -21.68  
4   33     -50.69  
5   36      52.66  
6   38      55.59  
【００６８】
（数値実施例５）
単位 mm
面データ
面番号       r        d      nd         vd
1*      5608.139    2.50   1.83481    42.7           
2         31.331   17.03                             
3*       154.941    2.00   1.83481    42.7           
4         89.851    9.92                             
5        -98.714    1.80   1.83481    42.7           
6       -668.999    0.15                             
7         94.656    4.22   1.92286    18.9           
8        320.080    1.66                             
09        159.610    8.55   1.60300    65.4           
10*       -95.256    4.40                             
11       -515.967    7.88   1.43387    95.1           
12        -54.044    0.17                             
13        -53.124    1.70   1.80000    29.8           
14       -112.346    0.18                             
15        161.906    1.70   1.91650    31.6           
16         53.144   13.31   1.43875    94.7           
17       -119.869    0.40                             
18        601.933    8.74   1.43387    95.1           
19        -69.960    0.40                             
20        104.022    8.25   1.76385    48.5           
21       -165.165  (可変)                             
22         93.594    0.70   2.00100    29.1           
23         17.271    3.65                             
24       -153.055    0.70   1.43875    94.7           
25         44.340    2.63                             
26       -121.391    5.64   1.85478    24.8           
27        -13.691    0.70   1.88300    40.8           
28        107.566    0.21                             
29         36.210    2.96   1.64769    33.8           
30       -177.327  (可変)                             
31        -37.668    0.80   1.72916    54.7           
32         56.081  (可変)                             
33         65.312    2.48   1.84666    23.8           
34       -459.929  (可変)                             
35*        67.709    5.84   1.58913    61.1           
36        -80.010  (可変)                             
37(絞り)    ∞       1.00                             
38        112.906    5.45   1.51742    52.4           
39        -49.076    1.00   1.83481    42.7           
40       -217.557   35.50                             
41         54.825    5.53   1.63980    34.5           
42        -55.707    1.65                             
43        -98.880    0.90   1.88300    40.8           
44         27.935    5.54   1.48749    70.2           
45       -102.404    0.20                             
46         69.714    7.57   1.43875    94.7           
47        -21.216    0.90   2.00100    29.1           
48        -62.919    0.13                             
49        142.218    5.45   1.48749    70.2           
50        -31.118    4.00                             
51          ∞      33.00   1.60859    46.4           
52          ∞      13.20   1.51680    64.2           
53          ∞     (可変)                             
像面        ∞   
非球面データ
第1面
K = 0.00000e+000  A 4= 3.62280e-006  A 6= 1.07634e-008  A 8= 7.77615e-012  A10= 9.49473e-014  A12= 1.11167e-016  A14= 1.85189e-020  A16=-6.09937e-026  
A 3= 1.96700e-005  A 5=-1.65225e-007  A 7=-3.05632e-010  A 9=-1.17448e-012  A11=-4.11462e-015  A13=-1.90023e-018  A15=-7.32295e-023  
第3面
K = 0.00000e+000  A 4=-2.05168e-006  A 6=-7.43153e-008  A 8=-7.11008e-010  A10=-3.24318e-013  A12= 1.59804e-015  A14=-6.50890e-019  A16=-2.04876e-022  
A 3=-1.39573e-005  A 5= 4.24389e-007  A 7= 9.14976e-009  A 9= 3.03043e-011  A11=-3.27332e-014  A13=-1.77971e-017  A15= 2.23061e-020  
第10面
K = 0.00000e+000  A 4= 1.23091e-006  A 6= 1.39417e-008  A 8= 2.71078e-010  A10= 2.07837e-013  A12=-7.68131e-016  A14= 1.05198e-018  A16= 2.18702e-022  
A 3=-3.67680e-006  A 5=-2.23995e-008  A 7=-2.66232e-009  A 9=-1.44132e-011  A11= 1.68301e-014  A13=-4.84886e-018  A15=-2.63710e-020  
第35面
K =-1.41109e+001  A 4= 2.91663e-006  A 6=-5.45057e-009  A 8= 3.22937e-012  
【００６９】
各種データ
ズーム比     13.60 
広角     中間     望遠
焦点距離       4.43    28.25    60.25  
Fナンバー      1.86     1.86     2.78  
画角          51.15    11.02     5.22  
像高           5.50     5.50     5.50  
レンズ全長   315.65   315.65   315.65  
BF             7.45     7.45     7.45  
d21            0.64    42.70    48.74  
d30           36.66     2.73     3.91  
d32            2.99     2.89     2.15  
d34           17.36    16.13     2.11  
d36            8.30     1.50     9.04  
d53            7.45     7.45     7.45  
ズームレンズ群データ
群  始面    焦点距離  
1    1      28.52  
2   22     -18.92  
3   31     -30.66  
4   33      67.03  
5   35      62.93  
6   37      54.18  
【００７０】
【表１】
2020134833.tif 000004
【符号の説明】
【００７１】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
Ｌ１Ａ  第１サブレンズ群Ａ
Ｌ１Ｂ  第１サブレンズ群Ｂ
Ｌ２Ａ  第２サブレンズ群Ａ
Ｌ２Ｂ  第２サブレンズ群Ｂ
【図１】
2020134833.tif 000005
【図２】
2020134833.tif 000006
【図３】
2020134833.tif 000007
【図４】
2020134833.tif 000008
【図５】
2020134833.tif 000009
【図６】
2020134833.tif 000010
【図７】
2020134833.tif 000011
【図８】
2020134833.tif 000012
【図９】
2020134833.tif 000013
【図１０】
2020134833.tif 000014
【図１１】
2020134833.tif 000015